(57)【特許請求の範囲】
【請求項１】
単電池を嵌め込む嵌め込み凹部（７）が上面に開口させて複数個設けられた底部材（６）と、前記単電池を嵌め込む嵌め込み凹部（１１）が下面に開口させて複数個設けられた蓋部材（１０）と、前記底部材（６）の複数の嵌め込み凹部（７）にそれぞれ下部が嵌め込まれ、前記蓋部材（１０）の複数の嵌め込み凹部（１１）にそれぞれ上部が嵌め込まれて互いに電気的に直列に接続された複数の単電池とを備えて、前記底部材及び蓋部材にそれぞれ複数個ずつ設けられたボルト通し孔（１５，１６）に通されたボルト（１７）と各ボルトに螺合されたナットとにより前記底部材と蓋部材とが締結され、前記複数の単電池の直列回路の両端に位置する２つの単電池にそれぞれ組電池としての正出力端子及び負出力端子を構成する正出力テーパ端子９及び負出力テーパ端子（９）が設けられている組電池において、
前記蓋部材（１０）には、前記正出力テーパ端子（９）及び前記負出力テーパ端子（９）をそれぞれ貫通させる孔（１２）が設けられ、
前記各テーパ端子（９）を嵌めて締め付ける嵌合筒部（１３）が前記各孔（１２）に対応して前記蓋部材（１０）に一体に設けられていること、
を特徴とする組電池。
【請求項２】
前記嵌合筒部（１３）の周方向に沿って延びる肉厚部には、該嵌合筒部の径方向に沿ってネジ（１８）がねじ込まれ、該ネジにより前記テーパ端子（９）が締め付けられていることを特徴とする請求項１に記載の組電池。
【請求項３】
前記嵌合筒部（１３）には、その周方向の一部を割る割り部（１４）が設けられ、前記嵌合筒部（１３）の外周には、該嵌合筒部を前記テーパ端子に締め付ける締め付けバンド（１９）が設けられていることを特徴とする請求項１に記載の組電池。
【発明の詳細な説明】
【０００１】
【発明の属する技術分野】
本発明は、複数の単電池がケース内に収納されて、互いに電気的に接続された組電池に関するものである。
【０００２】
【従来の技術】
鉛蓄電池においては、鉛の一部が酸化された鉛粉と水と希硫酸とを主成分とし、これに必要に応じて添加物を添加して練合し、得られたペーストを鋳造格子体や連続多孔格子体に塗着し、乾燥させたペースト式極板が広く用いられている。この極板は、更にセパレータ（隔離板）と組み合わせて極板群に構成され、電槽に組み込まれた後、希硫酸を加えて化成充電するか、化成充電後に電槽内に組み込むことによって、電池の性能が与えられる。
【０００３】
ところで、鉛蓄電池の主な用途の一つとして、自動車エンジンの始動がある。これは、大電流放電によりエンジン内にスパークを発生させるというものであるが、この時の放電電圧が低いまたは放電時間が短いと、エンジンが始動しないという不具合が生じる。
【０００４】
この不具合を解消するため、より始動性の高い巻回式鉛蓄電池が提案されている（例えば、特許文献１参照。）。
【０００５】
この巻回式鉛蓄電池を自動車エンジンの始動用として用いる場合、通常６個の単電池を直列に接続した６個組みの組電池として用いる。
【０００６】
この組電池は、１つの電槽内に設置された６セルの２Ｖセルからなる場合と、それぞれ独立した２Ｖ電池を６個組み合わせて電槽等に組み込む場合とがある。
【０００７】
後者の場合、一般に２Ｖ電池同士の接続はボルトナット方式等により行われるが、組電池としての正出力端子と負出力端子はテーパ端子が用いられている。テーパ端子は車両側の接続金具に接続される。
【０００８】
【特許文献１】
米国特許第５６７７０７８号明細書（図３）
【０００９】
【発明が解決しようとする課題】
しかしながら、接続金具でテーパ端子を締め付けすぎると、過大な締め付けトルクがかかり、該テーパ端子が変形する不具合が生じる問題点があった。
【００１０】
本発明の目的は、テーパ端子に対する接続金具の接続時にテーパ端子が変形するのを防止できる組電池を提供することにある。
【００１１】
【課題を解決するための手段】
本発明は、単電池を嵌め込む嵌め込み凹部（７）が上面に開口させて複数個設けられた底部材（６）と、前記単電池を嵌め込む嵌め込み凹部（１１）が下面に開口させて複数個設けられた蓋部材（１０）と、前記底部材（６）の複数の嵌め込み凹部（７）にそれぞれ下部が嵌め込まれ、前記蓋部材（１０）の複数の嵌め込み凹部（１１）にそれぞれ上部が嵌め込まれて互いに電気的に直列に接続された複数の単電池とを備えて、前記底部材及び蓋部材にそれぞれ複数個ずつ設けられたボルト通し孔（１５，１６）に通されたボルト（１７）と各ボルトに螺合されたナットとにより前記底部材と蓋部材とが締結され、前記複数の単電池の直列回路の両端に位置する２つの単電池にそれぞれ組電池としての正出力端子及び負出力端子を構成する正出力テーパ端子９及び負出力テーパ端子（９）が設けられている組電池を対象とする。
【００１２】
本発明に係る組電池では、蓋部材（１０）に、正出力テーパ端子（９）及び負出力テーパ端子（９）をそれぞれ貫通させる孔（１２）が設けられ、各テーパ端子（９）を嵌めて締め付ける嵌合筒部（１３）が各孔（１２）に対応して蓋部材（１０）に一体に設けられている。
【００１３】
このようにケースに設けた嵌合筒部でテーパ端子を締め付けておくと、テーパ端子に接続金具を接続する際に該テーパ端子が変形するのを防止しつつ接続作業を行うことができる。
【００１４】
この場合、嵌合筒部の周方向に沿って延びる肉厚部に、該嵌合筒部の径方向に沿ってネジ（１８）がねじ込まれて、該ネジによりテーパ端子（９）が締め付けられていることが好ましい。このように構成すると、嵌合筒部によるテーパ端子の把持を確実にすることができる。
【００１５】
また嵌合筒部（１３）には、その周方向の一部を割る割り部（１４）が設けられて、嵌合筒部（１３）の外周に、該嵌合筒部をテーパ端子に締め付ける締め付けバンド（１９）が設けられていることが好ましい。
【００１６】
【発明の実施の形態】
図1乃至図６（Ａ）（Ｂ）は本発明の組電池の実施の形態の第１例を示したもので、図1は本例で用いる単電池の一例の側面図、図2（Ａ）〜（Ｃ）は本例で用いるケースの底部部材の平面図、側面図及び底面図、図３は底部部材に各単電池を組み込んだ状態の平面図、図４（Ａ）（Ｂ）は本例で用いるテーパ端子の平面図及び側面図、図５（Ａ）〜（Ｃ）は本例で用いるケースの蓋部材の平面図、側面図及び底面図、図６（Ａ）（Ｂ）は本例でテーパ端子にケースの嵌合筒部を嵌合した状態の平面図及び本例の組電池の要部縦断面図である。
【００１７】
本例の組電池の構成を詳細に説明する。先ず、極板群の構成について説明する。
【００１８】
負極板の作製に際しては、鉛粉と、該鉛粉に対して１３質量％の希硫酸（比重１．２６：２０℃）と、該鉛粉に対して１２質量％の水とを混練して負極活物質ペーストを作り、該負極活物質ペースト２４０．０ｇを格子体からなる集電体に充填してから、温度５０℃、湿度９５％中に１８時間放置して熟成した後に、温度２５℃、湿度４０％中に２時間放置し、乾燥して未化成負極板を作製した。
【００１９】
正極板の作製に際しては、冷却できる混練釜を用いて、混練の間温度を一定に保った。そして、鉛粉に対して０．０１質量％の硫酸ナトリウム及びカットファイバーを添加し、該鉛粉に対して１３質量％の希硫酸（比重１．２６：２０℃）と、該鉛粉に対して１２質量％の水とを混練して正極活物質ペーストを作製した。次に、この正極活物質ペースト２００．０ｇを鋳造格子体からなる集電体に充填してから、温度５０℃、湿度９５％中に１８時間放置して熟成した後に、温度２５℃、湿度４０％中に２時間放置し、乾燥して未化成正極板を作製した。
【００２０】
このようにして作製した未化成負極板及び未化成正極板をガラス繊維からなるセパレータを介して巻回して極板群を得た。
【００２１】
この極板群を、図１に示すように電池缶からなる電槽１内に配置し、上蓋２を被せ、上蓋２の正端子３ａと負端子３ｂを極板群に接続し、電槽１内に電解液として比重１．２２５（２０℃）の希硫酸を充填した。得られた未化成電池を５．０Ａで２３時間化成して単電池４を得た。
【００２２】
単電池４を収容するケース５は、図２（Ａ）〜（Ｃ）に示す底部材６と、図５（Ａ）〜（Ｃ）に示す蓋部材１０とにより構成される。図２（Ａ）〜（Ｃ）に示す底部材６には、その上面に開口した嵌め込み凹部７が、２列に３個ずつ合計６個設けられ、図３に示すように、各嵌め込み凹部７に単電池４の下部が嵌め込まれて、合計６個の単電池４が縦向きにセットされる。隣接する単電池４は一方の正端子３ａと他方の負端子３ｂとに接続金具８の孔を嵌め、図示しないナットの螺合により電気的に接続する。このような接続により６個の単電池４が直列に接続されている。直列接続された６個の単電池４の直列回路の両端に位置する２個の単電池の一方の負端子３ｂ及び他方の正端子３ａにそれぞれ組み電池としての正出力端子及び負出力端子を構成するテーパ端子９が接続される。図４（Ａ），（Ｂ）に示すように、テーパ端子９は、円錐台形のテーパ部９ａと、該テーパ部の下部に連設された円柱状の柱部９ｂと、柱部９ｂの下部に、該柱状部と直交する向きに連設された板状部９ｃとからなり、板状部９ｃには端子貫通孔９ｄが設けられている。直列接続された６個の単電池からなる単電池群の両端に位置する２つの単電池４，４の一方の負端子３ｂ及び他方の正端子３ａにそれぞれのテーパ端子９の端子貫通孔９ｄが嵌められ、これら負端子３ｂ及び正端子３ａに螺合された図示しないナットの締結により、組電池としての負出力端子及び正出力端子をそれぞれ構成する負出力テーパ端子９及び正出力テーパ端子９がそれぞれ対応する負端子３ｂ及び正端子３ａに接続されている。
【００２３】
６個の単電池４の上には、ケース５の蓋部材１０が被せられている。蓋部材１０にはその下面に開口させて２列に３個ずつ計６個の嵌め込み凹部１１が設けられていて、これら嵌め込み凹部１１のそれぞれに単電池４の上部が嵌められている。また、蓋部材１０には正出力テーパ端子９と負出力テーパ端子９とを貫通させる孔１２がそれぞれ設けられ、各孔１２に対応してケース５の蓋部材１０には各テーパ端子９を嵌めて締め付ける筒状の嵌合筒部１３が一体に設けられている。嵌合筒部１３にはその周方向の一部を割る割り部１４が設けられている。
【００２４】
ケース５の底部材６と蓋部材１０とは、それぞれに設けられたボルト通し孔１５，１６にボルト１７を通し、図示しないナットの螺合により締結されている。
【００２５】
このようにケース５の蓋部材１０に設けた嵌合筒部１３でテーパ端子９を締め付けていると、各テーパ端子に接続金具を接続する際にテーパ端子９が変形するのを防止しつつ接続作業を行うことができる。
【００２６】
図７は本発明に係る組電池の実施の形態の第２例でテーパ端子にケースの嵌合筒部を嵌合した状態の平面図である。
【００２７】
本例の組電池では、嵌合筒部１３の周方向に延びる肉厚部に、該嵌合筒部１３の径方向に沿って、ネジ１８がねじ込まれて、このネジによりテーパ端子９が締め付けられている。
【００２８】
このように構成すると、嵌合筒部１３によるテーパ端子９の把持を確実にすることができる。
【００２９】
図８は本発明に係る組電池の実施の形態の第３例でテーパ端子にケースの嵌合筒部を嵌合した状態の平面図である。
【００３０】
本例の組電池では、嵌合筒部１３の周方向の一部を割る割り部１４が設けられ、嵌合筒部１３の外周には、該嵌合筒部をテーパ端子９に締め付ける締め付けバンド１９が設けられている。
【００３１】
このように構成した場合も、嵌合筒部１３によるテーパ端子９の把持を確実にすることができる。
【００３２】
【発明の効果】
本発明に係る組電池では、単電池の上部に被せる蓋部材に正出力テーパ端子及び負出力テーパ端子をそれぞれ貫通させる孔を設けるとともに、テーパ端子を嵌めて締め付ける嵌合筒部を各孔に対応してケースに一体に設けたので、各テーパ端子に接続金具を接続する際にテーパ端子が変形するのを防止しつつ接続作業を行うことができる。
【００３３】
請求項２に記載された発明によれば、嵌合筒部の周方向に沿って延びる肉厚部に、該嵌合筒部の径方向に沿ってネジを螺合してこのネジによりテーパ端子を締め付けるようにしたので、嵌合筒部によるテーパ端子の把持を確実にすることができる。
【００３４】
また請求項３に記載された発明によれば、嵌合筒部の周方向の一部を割る割り部を設けて、嵌合筒部の外周に、該嵌合筒部をテーパ端子に締め付ける締め付けバンドを設けたので、嵌合筒部によるテーパ端子の把持を確実にすることができる。
【図面の簡単な説明】
【図１】  本発明の組電池の実施の形態の第１例で用いている単電池の一例の側面図である。
【図２】  （Ａ）〜（Ｂ）は本発明の組電池の実施の形態の第１例で用いているケースの底部部材の平面図、側面図及び底面図である。
【図３】  本例のケースの底部部材に各単電池を組み込んだ状態の平面図である。
【図４】  （Ａ），（Ｂ）は本例で用いるテーパ端子の平面図及び側面図である。
【図５】  （Ａ）〜（Ｃ）はそれぞれ本例で用いるケースの蓋部材の平面図、側面図及び底面図である。
【図６】  （Ａ）及び（Ｂ）はそれぞれ本例でテーパ端子にケースの嵌合筒部を嵌合した状態の平面図及び本例の組電池の要部縦断面図である。
【図７】  本発明に係る組電池の実施の形態の第２例でテーパ端子にケースの嵌合筒部を嵌合した状態の平面図である。
【図８】  本発明に係る組電池の実施の形態の第３例でテーパ端子にケースの嵌合筒部を嵌合した状態の平面図である。
【符号の説明】
１    電槽
２    上蓋
３ａ  正端子
３ｂ  負端子
４    単電池
５    ケース
６    底部材
７    嵌め込み凹部
８    接続金具
９    テーパ端子
９ａ  テーパ部
９ｂ  柱部
９ｃ  板状部
９ｄ  端子貫通孔
１０  蓋部材
１１  嵌め込み凹部
１２  孔
１３  嵌合筒部
１４  割り部
１５  ボルト通し孔
１６  ボルト通し孔
１７  ボルト
１８  ネジ
１９  締め付けバンド
【図１】
0003915919.tif 000002
【図２】
0003915919.tif 000003
【図３】
0003915919.tif 000004
【図４】
0003915919.tif 000005
【図５】
0003915919.tif 000006
【図６】
0003915919.tif 000007
【図７】
0003915919.tif 000008
【図８】
0003915919.tif 000009